(57)【要約】      （修正有）【課題】端材や廃材を利用して、荷重がかかったり立体的な構造体を構成したりする用途に適した構造材を提供する。【解決手段】複数のピース２を積層及び接着してなる積層体４と、積層体を貫通する貫通孔６と、貫通孔内に挿入及び接着された棒状体８と、を具備する構造体１であって、棒状体が、金属製、木製若しくは樹脂製の中空パイプ又は無垢棒であり、複数のピースの形状、模様又は色彩が単一種類又は複数種類である。【選択図】図１
0003234864.tif 000002
【実用新案登録請求の範囲】
【請求項１】
複数のピースを積層及び接着してなる積層体と、
前記積層体を貫通する貫通孔と、
前記貫通孔内に挿入及び接着された棒状体と、
を具備すること、を特徴とする構造体。
【請求項２】
前記棒状体が、金属製、木製若しくは樹脂製の中空パイプ又は無垢棒であること、
を特徴とする請求項１に記載の構造体。
【請求項３】
前記複数のピースの形状、模様又は色彩が単一種類又は複数種類であること、
を特徴とする請求項１又は２に記載の構造体。
【請求項４】
請求項１〜３のいずれかに記載の構造体を有すること、
を特徴とするインテリアプロダクト。
【考案の詳細な説明】
【技術分野】
【０００１】
本考案は、例えば端材や廃材を利用して椅子の脚等に適した構造体及びこれを用いたインテリアプロダクトに関する。
【背景技術】
【０００２】
従来から、例えば椅子の脚等には、木材を切り出したものや金属製のパイプ等の構造材が使用されており、また、端材を利用した構造体として、例えば特許文献１（実用新案登録第３１５７０１４号公報）では、余り木、端材を無駄なく利用し、現場で作業を効率化する寄木模様壁構造体が提案されている。
【０００３】
上記特許文献１においては、より具体的には、図１に示されるように、モザイク板１０を、薄い木片２と厚い木片３を互いに重ならないように列状に台板の端部まで隙間無く並べ、かつ所定の列ｃ２、ｃ８についてはその列の両端部位置に、木片２が配置されている。そして、所定の列ｃ２、ｃ８が連続するようにモザイク板１０を並べ、所定の列ｃ２、ｃ８において固定金具４で支持体に固定し、固定金具４の上から、木片２と３の厚さの差の厚さを持つ木片７を貼り付けて寄木模様壁構造体１００が構成されている（特許文献１、要約）。
【先行技術文献】
【特許文献】
【０００４】
【特許文献１】実用新案登録第３１５７０１４号公報
【考案の概要】
【考案が解決しようとする課題】
【０００５】
しかしながら、上記特許文献１において提案されている構造体は、寄木模様壁構造体という特定の機能及び用途のためのものであり、荷重がかかったり立体的な構造体を構成したりする用途には必ずしも適しているものではない。
【０００６】
そこで、本考案の目的は、端材や廃材を利用して、荷重がかかったり強い衝撃等でも形態を保持することができる立体的な構造体を構成したりする用途に適した構造材を提供することにある。
【課題を解決するための手段】
【０００７】
かかる課題を解決するため、本考案は、
複数のピースを積層及び接着してなる積層体と、
前記積層体を貫通する貫通孔と、
前記貫通孔内に挿入及び接着された棒状体と、
を具備すること、を特徴とする構造体、
を提供する。
【０００８】
かかる構成を有する本考案の構造体では、前記棒状体が、金属製、木製若しくは樹脂製の中空パイプ又は無垢棒であること、が好ましい。
【０００９】
また、上記本考案の構造体においては、前記複数のピースの形状、模様又は色彩が単一種類又は複数種類のいずれであってもよい。即ち、同じ形状、模様又は色彩のピースで構造体が構成されていてもよいし、各ピースの形状、模様及び色彩が全て同じでもいずれか一つ以上が異なっていてもよい。換言すると、上記本考案の構造体においては、前記複数のピースの形状、模様又は色彩が複数種類であってもよい。
【００１０】
また、本考案は、上記本考案の構造体で構成された脚を有すること、を特徴とする椅子等のインテリアプロダクトも提供する。なお、ここでいうインテリアプロダクトとは、椅子等の家具はもちろんのこと、タオルバー、ドアノブ、テープカッター等の文具、一輪差し、包丁立て、傘立て、オセロ等のおもちゃ等々、端材をくり抜き、接着、補強し、軽量化して形成した本考案に係る構造体を適用できる家具やインテリア製品を広く含む概念である。
【考案の効果】
【００１１】
本考案に係る構造体は、複数のピースを積層及び接着してなる積層体と、前記積層体を貫通する貫通孔と、前記貫通孔内に挿入及び接着された棒状体と、で構成されているため、荷重がかかったり強い衝撃等を受けたりしてもピース同士の間で剥離乃至は分離しにくくその形態を有効に保持することができ、立体的な構造体を構成する用途に適している。そして、上記ピースとして、例えば端材や廃材を有効に利用することができるため、本考案は、端材や廃材を利用して、荷重がかかったり強い衝撃等を受けたりする立体的な構造体を構成する用途に適した構造材及びこれを用いたインテリアプロダクトを実現するものである。
【図面の簡単な説明】
【００１２】
【図１】本考案の一実施形態に係る構造体の構造を示す概略斜視図（写真）である。
【図２】図１に示す構造体を用いて構成した椅子の概略斜視図（写真）である。
【図３】本考案の別の実施形態に係る構造体を用いて構成したドアノブの概略斜視図（写真）（ａ）と、図３（ａ）の矢印Ｘの方向からみた場合の概念図（ｂ）である。
【図４】本考案の更に別の実施形態に係る構造体を用いて構成したタオルバー（２種類）の概略斜視図（写真）（ａ）と、図４（ａ）のそれぞれ矢印Ｙ及び矢印Ｚの方向からみた場合の概念図（ｂ）及び（ｃ）である。
【考案を実施するための形態】
【００１３】
以下、本考案の代表的な実施形態に係る構造体の一例としての構造材及びこれを用いた椅子について、図面を参照しながら詳細に説明する。なお、図面は、本考案を概念的に説明するためのものであるから、理解容易のために、必要に応じて寸法、比又は数を誇張又は簡略化して表している場合もあり、本考案はこれらのみに限定されるものではない。
【００１４】
本実施形態に係る構造体１は、図１に示すように、複数のピース２を積層及び接着してなる積層体４と、積層体４を貫通する貫通孔６と、貫通孔６内に挿入及び接着された棒状体８と、を具備している。
【００１５】
ここで、各ピース（片）２は、本実施形態においては、略正方形の平板状を呈しており、これらを積層して各ピース２間を接着剤にて接着することにより、積層体４が構成されている。かかるピース２には、例えば木、石（大理石）及び樹脂（人工大理石）等の端材や廃材に切削、くり抜き、研磨等の加工を施して、好適に使用することができる。ピース２の形状、模様及び色彩並びに寸法は、積層体４及び構造体１並びにこれらを用いた最終製品（家具等）において所望する形態に応じて適宜変更することができる。
【００１６】
積層体４を貫通する貫通孔６は、例えば積層体４にドリルを用いて形成することができ、また、先にピース２にドリルで孔を形成して積層することにより、貫通孔６を有する積層体４を形成することもできる。貫通孔６の開口断面は略円形状であればよいが、棒状体８の横断面形状に合わせて適宜変更すればよい。
【００１７】
また、積層体４の貫通孔６には、棒状体８が挿入乃至は挿通されており、棒状体８と貫通孔６との間には、図示しないが接着剤による接着層が形成されている。図１においては、棒状体８は積層の両端から外部に出る長さを有しているが、積層体４の用途に応じて適宜切断等して長さを調整すればよい。
【００１８】
棒状体８は、本実施形態においては、中空の金属アルミ製パイプであり、その寸法は貫通孔６の開口断面に適合するように設定されている。棒状体８としては、金属製、木製若しくは樹脂製の中空パイプを用いることができ、また、金属製、木製若しくは樹脂製の無垢棒を用いることもできる。径の寸法や強度等に応じて、適宜選択することができる。
【００１９】
ここで、図２は、図１に示す構造体１を４つの脚に適用した椅子１２の構造を示す斜視図である。図２に示すように、椅子１２は、上記の構造体１で構成された脚１０を具備しており、天板からなる座部１４にこれらを従来公知の方法で取り付けることにより得られる。
【００２０】
また、他の実施形態として、図３（ａ）に示すように、本考案に係る構造体を用いてドアノブ１６を構成することができる。このドアノブ１６は、複数のピースを積層及び接着してなる積層体４と、積層体４を貫通する貫通孔と、貫通孔内に挿入及び接着された棒状体（基材）１８と、を具備する構造体１で構成されている。
【００２１】
棒状体（基材）１８が、ドアノブ１６とドアとを繋ぐ連結部を構成していてもよく、また、棒状体（基材）１８は、ドアノブ１６とドアとを繋ぐ連結部と別部材であってもよい。ここで、図３（ａ）の矢印Ｘの方向からみた場合、ドアノブ１６を構成する構造体１（積層体４）は図３（ｂ）に示すように略円形状に見えるが、この実施形態では、棒状体１８に比較的小径のアルミニウム製無垢材を用いるのが好ましい。
【００２２】
また、更に別の実施形態として、図４（ａ）に示すように、本考案に係る構造体を用いてタオルバー２０を構成することもできる。このタオルバー２０は、複数のピースを積層及び接着してなる積層体４と、積層体４を貫通する貫通孔と、貫通孔内に挿入及び接着された棒状体（基材）１８と、を具備する構造体１で構成されている。棒状体（基材）１８は、積層体４から外部に延びて露出している。
【００２３】
ここで、図４（ａ）のそれぞれ矢印Ｙ及び矢印Ｚの方向からみた場合、上側のタオルバー２０は図４（ｂ）に示すように略円形状に見え、下側のタオルバー２０は図４（ｃ）に示すように略正方形状（矩形状）に見える。そして、図４（ｂ）のように比較的小径の棒状体１８の場合は、アルミニウム製無垢材を用いるのが好ましく、また、図４（ｃ）のように比較的大径の棒状体１８の場合は、アルミニウム製中空パイプを用いるのが好ましくい。
【符号の説明】
【００２４】
１・・・構造体、
２・・・ピース、
４・・・積層体、
６・・・貫通孔、
８・・・棒状体、
１０・・・脚、
１２・・・椅子、
１４・・・座部、
１６・・・ドアノブ、
１８・・・棒状体（基材）、
２０・・・タオルバー。
【図１】
0003234864.tif 000003
【図２】
0003234864.tif 000004
【図３】
0003234864.tif 000005
【図４】
0003234864.tif 000006